(57)【特許請求の範囲】
【請求項１】
内容物を収容する第一の部材と切断手段を備えた第二の部材とから構成されたカートリッジにして、
該第一の部材は、円形上面壁と該上面壁の周縁から垂下する円筒形側壁とを有し、下面は開口されている収容体と該収容体の該下面を閉塞するための切断可能な閉塞片とを備え、
該第二の部材は、上面及び下面は開口されている円筒体から構成されており、該切断手段は該円筒体の内側に周方向に間隔をおいて配設された複数個の切断片から構成されており、該切断片の各々は該円筒体の中心に位置する内側先端から半径方向外方に向かって下方に傾斜して延び、次いで半径方向外方に向かって上方に傾斜して外側先端まで延びる放射状切断縁と共に、該外側先端乃至その近傍から周方向両側に延びる周方向切断縁を有し、
該第一の部材を該円筒体に対して排出位置まで下降せしめると、該切断手段が該閉塞片に作用して該閉塞片を切断し、該収容体内に収容されていた内容物が該収容体の該下面から排出される、
ことを特徴とするカートリッジ。
【請求項２】
該収容体の外周面には被係止手段が配設され、該円筒体の内周面には上方係止手段と下方係止手段とが配設されており、
該第一の部材を該円筒体の該上面を通して該円筒体内に、該閉塞片が該切断手段よりも上方に位置する組み合せ位置まで部分的に挿入すると、該被係止手段と該上方係止手段とが協働して、該第一の部材が該円筒体に対して上方に移動することが阻止され、
該第一の部材を該円筒体に対して該組み合せ位置を超えて該排出位置まで下降せしめると、該被係止手段と該下方係止手段とが協働して該第一の部材が該円筒体に対して上方に移動することが阻止される、請求項１記載のカートリッジ。
【請求項３】
該切断片の各々の該周方向切断縁は該外側先端乃至その近傍から周方向両側に向かって下方に傾斜して延びる、請求項１又は２記載のカートリッジ。
【請求項４】
該被係止手段は該収容体の外面に配設され周方向に延びる突条から構成されている、請求項１乃至３のいずれか記載のカートリッジ。
【請求項５】
該突条は半径方向外方に向かって上方に傾斜して延びる下面と水平に延びる上面とを有する、請求項４記載のカートリッジ。
【請求項６】
該突条は周方向に間隔をおいて複数個形成されており、該円筒体の内周面上部には周方向に間隔をおいて軸線方向に延びる複数個の突起が形成されており、該第一の部材が該円筒体内に該組み合せ位置まで部分的に挿入される際には、該突起が該突条間に位置せしめられ、該突起と該突条との協働によって該円筒体に対する該第一の部材の回転が阻止される、請求項４記載のカートリッジ。
【請求項７】
該上方係止手段及び該下方係止手段の各々は該円筒体の内周面に配設され周方向に延びる係止突条から構成されている、請求項４から６までのいずれかに記載のカートリッジ。
【請求項８】
該収容体の外周面下部には該第一の部材が該排出位置まで下降せしめられると該円筒体の内周面に密接せしめられる環状シール突条が配設されている、請求項１から７までのいずれかに記載のカートリッジ。
【請求項９】
該円筒体内には周方向において該切断片の各々の該周方向切断縁間に位置する弧状拘束片が配設されている、請求項１から８までのいずれかに記載のカートリッジ。
【請求項１０】
該拘束片の各々の外周面は該周方向切断縁よりも半径方向内側に位置し、該拘束片の各々の上端は該放射状切断縁及び該周方向切断縁よりも下方に位置する、請求項９記載のカートリッジ。
【請求項１１】
該収容体の外周面上部には該収容体の外周面に沿って周方向に延びる弧状片が分離可能に接続されており、該第一の部材が該組み合せ位置に該円筒体内に部分的に挿入されると、該弧状片が該円筒体の上端に当接し、該第一の部材が該円筒体に対して該組み合せ位置を超えて下降することが阻止される、請求項１から１０までのいずれかに記載のカートリッジ。
【請求項１２】
該円筒体にはその上端から軸線方向下方に延びるスリットが形成されており、該収容体の外周面上部には軸線方向に延びる突出片が形成されており、該円筒体に対して該第一の部材を該組み合せ位置を超えて下降せしめる際には、該突出片が該スリット内に進入し、該第一の部材が該円筒体に対して該排出位置にせしめられると、該突出片の下端が該スリットの下端に当接乃至近接する、請求項１から１１までのいずれかに記載のカートリッジ。
【請求項１３】
該円筒体の内周面には該切断手段よりも下方に位置する雌螺条が形成されている、請求項１から１２までのいずれかに記載のカートリッジ。
【発明の詳細な説明】
【技術分野】
【０００１】
本発明は、容器内に収容されている液体の如き内容物に混入すべき添加物を収容したカートリッジに関する。
【背景技術】
【０００２】
下記特許文献１及び２に開示されている如く、容器内に収容されている内容物(通常は液体)に添加すべき添加物(通常は粉体或いは液体)を蓋に収容し、容器内の内容物を消費する際に蓋を適宜に操作することによって、蓋に収容されている添加物を排出して容器内の内容物に混入することができるように構成することが提案されている。
【先行技術文献】
【特許文献】
【０００３】
【特許文献１】特開２００３−２９２０１３号公報
【特許文献２】特開２００５−０８８９９７号公報
【発明の概要】
【発明が解決しようとする課題】
【０００４】
而して、上述したとおりの従来の提案には、次のとおりの解決すべき問題がある。第一に、蓋自体に添加物を収容するための収容部を一体に形成しているため、内容物を収容している容器とは別個に添加物を流通せしめることができない。第二に、蓋は容器の口頸部を密封するための通常の蓋としても使用され、従って容器の口頸部に装着し続ける故に、長期間に渡って保存され続けると容器内の内容物由来の水分が、蓋の収容部を規定している部位を透過して添加物が湿気により劣化してしまう傾向がある。
【０００５】
上記のとおりの事実に鑑み、本発明者等は、先に、特願２０１１−１１７３９３において、通常の蓋によって口頸部が密封されている容器とは別個に流通せしめられ、口頸部が開封された容器に適用して容器内の内容物に添加物を添加することができる、新規且つ改良されたカートリッジを提示した。かかるカートリッジは内容物を収容する第一の部材と切断手段を備えた第二の部材とから構成されている。第一の部材は、円形上面壁とこの上面壁の周縁から垂下する円筒形側壁とを有し、下面は開口されている収容体と、この収容体の下面を閉塞するための切断可能な閉塞片とを備え、収容体に内容物を収容した後に収容体の下面に閉塞片が付設されて収容体の下面が閉塞される。第二の部材は、上面及び下面は開口されている円筒体から構成されており、切断手段は円筒体の内側に周方向に間隔をおいて配設された複数個の切断片から構成されており、切断片の各々は円筒体の中心に位置する内側先端から半径方向外方に向かって下方に傾斜して延び、次いで半径方向外方に向かって上方に傾斜して外側先端まで延びる放射状切断縁を有する。収容体の外周面には被係止手段が配設され、円筒体の内周面には上方係止手段と下方係止手段とが配設されており、第一の部材を円筒体の上面を通して該円筒体内に、閉塞片が切断手段よりも上方に位置する組み合せ位置まで部分的に挿入すると、被係止手段と上方係止手段とが協働して、第一の部材が該円筒体に対して上方に移動することが阻止される。第一の部材を円筒体に対して組み合せ位置を超えて排出位置まで下降せしめると、切断手段が閉塞片に作用して閉塞片を切断し、収容体内に収容されていた内容物が収容体の下面から排出されると共に、被係止手段と下方係止手段とが協働して第一の部材が円筒体に対して上方に移動することが阻止される。
【０００６】
而して、本発明者等の経験によれば、本発明者等が提示した上述したとおりのカートリッジも未だ充分に満足し得るものではなく、切断手段の作用によって閉塞片を切断して閉塞片を適宜に変位せしめ、かくして収容体内に収容されている内容物を排出する際に、過大な力を必要とする傾向があることが判明している。
【０００７】
従って、本発明の主たる技術的課題は、本発明者等が提示して上述したとおりのカートリッジに更に改良を加え、過大な力を必要とすることなく切断手段の作用によって閉塞片を切断して閉塞片を適宜に変位せしめることができるカートリッジを提供することである。
【課題を解決するための手段】
【０００８】
本発明によれば、切断手段を構成する切断片の各々に、円筒体の中心に位置する内側先端から半径方向外方に向かって下方に傾斜して延び、次いで半径方向外方に向かって上方に傾斜して外側先端まで延びる放射状切断縁に加えて、放射状切断縁の外側先端乃至その近傍から周方向両側に延びる周方向切断縁を付加することによって、上記主たる技術的課題が達成される。
【０００９】
即ち、本発明によれば、上記主たる技術的課題を達成するカートリッジとして、内容物を収容する第一の部材と切断手段を備えた第二の部材とから構成されたカートリッジにして、
該第一の部材は、円形上面壁と該上面壁の周縁から垂下する円筒形側壁とを有し、下面は開口されている収容体と該収容体の該下面を閉塞するための切断可能な閉塞片とを備え、
該第二の部材は、上面及び下面は開口されている円筒体から構成されており、該切断手段は該円筒体の内側に周方向に間隔をおいて配設された複数個の切断片から構成されており、該切断片の各々は該円筒体の中心に位置する内側先端から半径方向外方に向かって下方に傾斜して延び、次いで半径方向外方に向かって上方に傾斜して外側先端まで延びる放射状切断縁と共に、該外側先端乃至その近傍から周方向両側に延びる周方向切断縁を有し、
該第一の部材を該円筒体に対して排出位置まで下降せしめると、該切断手段が該閉塞片に作用して該閉塞片を切断し、該収容体内に収容されていた内容物が該収容体の該下面から排出される、
ことを特徴とするカートリッジが提供される。
【００１０】
好適には、該収容体の外周面には被係止手段が配設され、該円筒体の内周面には上方係止手段と下方係止手段とが配設されており、該第一の部材を該円筒体の該上面を通して該円筒体内に、該閉塞片が該切断手段よりも上方に位置する組み合せ位置まで部分的に挿入すると、該被係止手段と該上方係止手段とが協働して、該第一の部材が該円筒体に対して上方に移動することが阻止され、該第一の部材を該円筒体に対して該組み合せ位置を超えて該排出位置まで下降せしめると、該被係止手段と該下方係止手段とが協働して該第一の部材が該円筒体に対して上方に移動することが阻止される。好ましくは、該切断片の各々の該周方向切断縁は該外側先端乃至その近傍から周方向両側に向かって下方に傾斜して延びる。該被係止手段は該収容体の外面に配設され周方向に延びる突条から構成されているのが好適であり、該突条は半径方向外方に向かって上方に傾斜して延びる下面と水平に延びる上面とを有するのが好都合である。該突条は周方向に間隔をおいて複数個形成されており、該円筒体の内周面上部には周方向に間隔をおいて軸線方向に延びる複数個の突起が形成されており、該第一の部材が該円筒体内に該組み合せ位置まで部分的に挿入される際には、該突起が該突条間に位置せしめられ、該突起と該突条との協働によって該円筒体に対する該第一の部材の回転が阻止されるのが好ましい。該上方係止手段及び該下方係止手段の各々は該円筒体の内周面に配設され周方向に延びる係止突条から構成されているのが好適である。好ましくは、該収容体の外周面下部には該第一の部材が該排出位置まで下降せしめられると該円筒体の内周面に密接せしめられる環状シール突条が配設されている。該円筒体内には周方向において該切断片の各々の該周方向切断縁間に位置する弧状拘束片が配設されているのが好ましく、該拘束片の各々の外周面は該周方向切断縁よりも半径方向内側に位置し、該拘束片の各々の上端は該放射状切断縁及び該周方向切断縁よりも下方に位置するのが好都合である。好ましくは、該収容体の外周面上部には該収容体の外周面に沿って周方向に延びる弧状片が分離可能に接続されており、該第一の部材が該組み合せ位置に該円筒体内に部分的に挿入されると、該弧状片が該円筒体の上端に当接し、該第一の部材が該円筒体に対して該組み合せ位置を超えて下降することが阻止される。該円筒体にはその上端から軸線方向下方に延びるスリットが形成されており、該収容体の外周面上部には軸線方向に延びる突出片が形成されており、該円筒体に対して該第一の部材を該組み合せ位置を超えて下降せしめる際には、該突出片が該スリット内に進入し、該第一の部材が該円筒体に対して該排出位置にせしめられると、該突出片の下端が該スリットの下端に当接乃至近接するのが好適である。該円筒体の内周面には該切断手段よりも下方に位置する雌螺条が形成されているのが好都合である。
【発明の効果】
【００１１】
本発明のカートリッジにおいては、複数個の切断片の各々が放射状切断縁と共に周方向切断縁を備えており、第一の部材を組み合せ位置から排出位置に下降せしめる際に、閉塞片は複数部位で放射状に切断されると共に外周縁部に沿った複数部位で周方向にも切断される故に、過剰な力を必要とすることなく切断された閉塞片を充分円滑且つ容易に変位せしめることができる。
【図面の簡単な説明】
【００１２】
【図１】本発明に従って構成されたカートリッジの好適実施形態における第一の部材を示す斜面図。
【図２】図１に示す第一の部材の平面図。
【図３】本発明に従って構成されたカートリッジの好適実施形態における第二の部材を示す斜面図。
【図４】図３に示す第二の部材に配設されている切断手段を示す部分斜面図。
【図５】図１に示す第一の部材を図３に示す第二の部材に部分的に挿入して組み合せ位置にせしめて、容器の口頸部に装着した状態を示す断面図。
【図６】図５に示す状態から第一の部材を排出位置まで下降せしめた後の状態を示す断面図。
【発明を実施するための形態】
【００１３】
以下、本発明に従って構成されたカートリッジの好適実施形態を図示している添付図面を参照して、更に詳細に説明する。
【００１４】
本発明に従って構成されたカートリッジの好適実施形態は、図１に示す第一の部材２と図３に示す第二の部材４とから構成されている。
【００１５】
図１及び図２と共に図５を参照して説明すると、第一の部材２は、ポリエチレン又はポリプロピレンの如き適宜の合成樹脂から射出成形することができる収容体６と、アルミニウム箔、合成樹脂膜或いはアルミニウム箔と合成樹脂膜との積層体から形成することができる閉塞片８（図５も参照されたい）とから構成されている。収容体６は円形上面壁１０とこの上面壁１０の周縁から垂下する円筒形側壁１２とを有し、下面は開口されている。側壁１２の外周面における軸線方向中間部には環状フランジ１４が形成されている。側壁１２の外周面における環状フランジ１４よりも上方の部位には、軸線方向に延びる突出片１６が形成され、そして更に突出片１６が配設されている部位を除いて外周面に沿って周方向に延びる弧状片１８が形成されている。弧状片１８は側壁１２から比較的大きく離隔した上流端部２０と側壁１２に近接して延在する主部２２とを有する。弧状片１８の上流端部２０は半径方向に延びる接続片２４を介して側壁１２に接続されている。接続片２４の半径方向内側端には断面積が低減されて易破断部が形成されている。弧状片１８の主部２２の下端縁と側壁１２との間には周方向に延在する接続壁２６が配設されており、この接続壁２６の半径方向内側縁部は肉厚が低減されている（図５も参照されたい）。側壁１２の外周面下部には被係止手段２８が配設されていることが重要である。図示の実施形態においては、被係止手段２８は周方向間隔をおいて配設され周方向に延びる複数個の突条３０から構成されている。図５を参照することによって明確に理解される如く、突条３０の各々は、半径方向外方に向かって上方に傾斜して延びる下面と実質上水平に延びる上面とを有する。側壁１２の外周面には、更に、突条３０の下方を周方向に連続して延びる環状シール突条３２も形成されている。閉塞片８は円板形状であり、収容体６の開口されている下面を通して液体或いは粉体でよい添加物（図示していない)を収容体６内に収容した後に、加熱溶着或いは適宜の接着剤による接着によって収容体６の側壁１２の下端面に接合され、収容体６の下面を閉塞する。
【００１６】
図３及び図５を参照して説明を続けると、ポリエチレン或いはポリプロピレンの如き適宜の合成樹脂から射出成形することができる第二の部材４は全体として略円筒形状であり、その上面及び下面は開口されている円筒体３４から構成されている。円筒体３４は上部３６、中間部３８及び下部４０を含んでおり、図５を参照することによって明確に理解されるとおり、中間部３８の外周面及び内周面は下方に向かって半径方向外方に傾斜する円錐台形状であり、円筒体３４の上部３６の外径及び内径は下部４０の外径及び内径よりも幾分小さく設定されている。上部３６の所定角度部位にはその上端縁から下方に延びるスリット４２が形成されている。上部３６の内周面下端部の内径は内周面主部の内径よりも若干小さく、そして上部３６の下端部には必要材料の低減等のためにその下端から上方に延在する環状凹所４４（図５）が形成されている。上部３６の外周面には周方向に間隔をおいて軸線方向に延びる多数の突条から構成されたローレット４６が形成されている。上部３６の内周面上部には周方向に間隔をおいて軸線方向に延びる複数個の突起４８が形成されている。かかる突起４８の数は上記第一の部材２の側壁１２の外周面に配設されている突条３０の数より１個多く、突起４８の周方向間隔は突条３０の各々の周方向長さに対応している。上部３６の内周面には、軸線方向に上方係止手段５０及び下方係止手段５２が配設されていることが重要である。図示の実施形態においては、上方係止手段５０は上記突起４８間の（上記スリット４２の部位を除く）全ての間隙を周方向に延びる複数個の係止突条５４から構成されており、下方係止手段５２は上記突起４８間の一個おきの間隙を周方向に延びる係止突条５６から構成されている。図５に明確に図示する如く、円筒体３４の下部４０の内周面には雌螺条５８が形成されている。また、円筒体３４内には上部３６の下端から下方に延出する環状シール片６０も配設されている。
【００１７】
第二の部材４を構成する円筒体３４内には切断手段６２が配設されていることが重要である。図３及び図５と共に図４を参照して説明すると、図示の実施形態においては、円筒体３４の上部３６の内周面下端部には半径方向内方に突出する環状フランジ６４が付設されており、かかる環状フランジ６４に周方向に等間隔をおいて複数個、図示の場合は６個、の切断片６６が配設されている。切断手段６２を構成する切断片６６の各々は、環状フランジ６４から半径方向内側に放射状に延出し、各切断片６６の半径方向内側縁は円筒体３４の中心軸線上で相互に合体されている。図４を参照することによって明確に理解される如く、切断片６６の各々は実質上鉛直に上方に延び、その上端縁には円筒体３４の中心に位置する内側先端６８ａから半径方向外方に向かって下方に傾斜して延び、次いで半径方向外方に向かって上方に傾斜して外側先端６８ｂまで延びる放射状切断縁６８を有する。内側先端６８ａと外側先端６８ｂは実質上同高でよい。切断片６６の各々は放射状に延びる部分のみならず半径方向外側縁から周方向両側に延びる部分を有し、上記放射状切断縁６８の外側先端６８ｂ乃至その近傍から周方向両側に延びる周方向切断縁７０も有している。図示の実施形態においては、周方向切断縁７０の各々は放射状切断縁６８の外側先端６８ｂより若干下方の位置から周方向両側に向かって下方に傾斜して延在している。
【００１８】
図４に明確に図示するとおり、図示の実施形態においては、隣接する切断片６６間に位置する弧状拘束片７２も配設されている。拘束片７２の各々は切断片６６の周方向切断縁７０間を周方向に弧状に延びており、その下端縁は上記環状フランジ６４の半径方向内側縁部に接続されている。拘束片７２の各々の外周面は切断片６６の周方向切断縁７０よりも幾分半径方向内側に位置し、拘束片７２の各々の上端は切断片６６の放射状切断縁６８及び周方向切断縁７０よりも幾分下方に位置するのが好適である。
【００１９】
図１乃至図５、主として図５を参照して説明を続けると、上述した第一の部材２と第二の部材４とは図５に図示するとおりに組み合せて流通される。詳述すると、第二の部材４を構成する円筒体３４の開口した上面を通して第一の部材２を円筒体３４内に挿入し、第一の部材２の略下半部が円筒体３４内に位置する図５に図示する状態、即ち組み合せ位置に位置せしめる。この際には、第一の部材２の突起１６を第二の部材４のスリット４２内に位置せしめ、第一の部材２の突条３０の各々を周方向において第二の部材４の突起４８間に位置せしめる。突条４８と突起３０の協働によって第二の部材４に対して第一の部材２が回転することが阻止される。第一の部材２を第二の部材４内に挿入して図５に図示する状態まで下降する間には、被係止手段２８を構成する突条３０が上方係止手段５０を構成する係止突条５４を弾性的に乗り越えて突条３０が係止突条５４の下方に位置し、これによって第二の部材４に対して第一の部材２が図５に図示する組み合せ位置よりも上方に移動することが阻止される。第一の部材２に配設されている環状フランジ１４の外径は円筒体３４の上部３６の内周面に形成されている複数個の突起４８の内側縁によって規制される円形の直径に対応しており、環状フランジ１４と複数個の突起４８との協働によって円筒体３４に対する第一の部材２の横方向の所謂がたつきが防止される。また、図５に図示する状態においては、弧状片１８の下端に位置する接続壁２６が円筒体３４の上端縁に当接し、これによって第二の部材４に対して第一の部材２が図５に図示する組み合せ位置を超えて更に下降することが阻止される。
【００２０】
カートリッジを購入した消費者が収容体６内に収容されている添加物を消費する際の典型的消費様式は、次のとおりである。図５に図示する如く、例えば天然水の如き液体である内容物を収容している適宜の容器、例えばポリエチレンテレフタレート製の容器、の口頸部７４に装着されている容器蓋（図示していない）を口頸部７４から離脱せしめる。周知の形態でよい容器の口頸部７４の外周面には雄螺条７６が形成されている。次いで、図５に図示する如く、第二の部材４を構成する円筒体３４の下部４０を容器の口頸部７４に被嵌し、図５において上方から見て時計方向に第二の部材４(及び第一の部材２)を回転せしめて、円筒体３４の下部４０の内周面に形成されている雌螺条５８を口頸部７４の雄螺条７６に螺合せしめる。雌螺条５８と雄螺条７６とを所要とおりに螺合せしめると、図５に図示する如く、円筒体３４の上部３６の内周面下端に配設されている環状フランジ６４の下面が口頸部７４の頂面に当接せしめられ、そしてまた円筒体３４の上部３６の下端から垂下する環状シール片６０が口頸部７４の外周面上端部に密接せしめられ、これによって口頸部７４がシールされる。
【００２１】
次いで、第一の部材２における収容体６の外周面に付設されている弧状片１８を、その上流端部２０を把持して半径方向外方に強制して接続片２４の半径方向内側端の易破断部を破断し、次いで上流端部２０を半径方向外方及び周方向下流側に向けて強制して接続壁２６の薄肉部位を破断することによって、収容体６から離脱せしめる。しかる後に、例えば収容体６の上面壁１０を押圧することによって第一の部材２を図６に図示する排出位置まで下降せしめる。この際には、第一の部材２の被係止手段２８を構成する突条３０が下方係止手段５２を構成する係止突条５６を弾性的に乗り越えて突条３０が係止突条５６の下方に位置し、これによって第二の部材４に対して第一の部材２が図６に図示する排出位置よりも上方に移動することが阻止される。加えて、第一の部材２が図６に図示する排出位置まで下降せしめられる際には、第二の部材４に配設されている切断手段６２が、第一の部材２を構成する収容体６の側壁１２の下端に接合されている閉塞片８に作用して閉塞片８を切断する。更に詳しくは、切断手段６２を構成する切断片６６の各々は、半径方向に離隔して位置する内側先端６８ａ及び外側先端６８ｂから閉塞片８に作用し始め、これによって閉塞片８の弛みを充分に抑制し、充分容易に且つ過大な力を必要とすることなく閉塞片８の破断を開始する。そして、切断片６６の放射状切断縁６８によって閉塞片８によって複数個の放射状切り目を生成すると共に周方向切断縁７０によって閉塞片８に複数個の周方向切れ目を生成する。そして、閉塞片８の上記のとおりの切断が進行した後に、複数個の弧状拘束片７２が閉塞片８に作用して閉塞片８を上方に変位し、かくして収容体６内から容器の口頸部７４内に通じる排出路が生成され、収容体６内に収容されていた内容物即ち添加物（図示していない）が容器内に収容されている内容物に混入される。閉塞片８には複数個の放射状切れ目と共に複数個の周方向切れ目が生成されている故に、拘束片７２の作用によって充分容易に閉塞片８を上方に変位せしめて所要排出路を生成することができる。図６に明確に図示するとおり、第二の部材４に対して第一の部材２が図６に図示する排出位置まで下降せしめられると、第一の部材２の収容体６の側壁１２の外周面下部に形成されている環状シール突条３２が第二の部材４を構成する円筒体３４の上部３６の内周面下部に密接せしめられ、かくして収容体６と円筒体３４との間が密封される。また、収容体６の側壁１２に配設されている突出片１６の下端が円筒体３４の上部３６に形成されているスリット４２の下端に当接乃至近接し、これによって消費者は第二の部材４が第一の部材２に対して図６に図示する排出位置まで下降せしめられたことを視覚的に確認することができる。
【００２２】
収容体６内に収容されていた添加物の実質上全てが排出されて容器内に収容されている内容物に混入された後においては、必要に応じて容器を適宜に振って添加物を内容物に充分に混合し、しかる後に第二の部材４を図６において上方から見て反時計方向に回転せしめて第二の部材４及び第一の部材２を容器の口頸部７４から離脱せしめ、容器内の内容物を消費することができる。
【符号の説明】
【００２３】
２：第一の部材
４：第二の部材
６：収容体
８：閉塞片
１０：収容体の円形上面壁
１２：収容体の円筒形側壁
１６：突出片
１８：弧状片
２８：被係止手段
３０：突条（被係止手段）
３２：環状シール突条
３４：円筒体
４２：スリット
４８：突起
５０：上方係止手段
５２：下方係止手段
５４：係止突条（上方係止手段）
５６：係止突条（下方係止手段）
５８：雌螺条
６２：切断手段
６６：切断片
６８：放射状切断縁
６８ａ：内側先端
６８ｂ：外側先端
７０：周方向切断縁
７２：拘束片
【図１】
0006008527.tif 000002
【図２】
0006008527.tif 000003
【図３】
0006008527.tif 000004
【図４】
0006008527.tif 000005
【図５】
0006008527.tif 000006
【図６】
0006008527.tif 000007